(57)【要約】【課題】接点の並設方向に寸法が小さく、且つ、組立て容易な構造により、一対の接点組それぞれに発生するアークを消弧できる電磁継電器を提供する。【解決手段】電磁継電器２は、一対の第１接点を有する第１の端子と、一対の第１接点にそれぞれ接離可能に対向する一対の第２接点を有する第２の端子と、第１の端子の、一対の第１接点とは反対側であって一対の第１接点の間に相当する位置に、第１の端子に対し非接触に配置される第１磁石とを備え、第１磁石は、一対の第１接点と一対の第２接点とが対向する方向へ磁化されている。【選択図】図５
2020155259.tif 000002
【特許請求の範囲】
【請求項１】
一対の第１接点を有する第１の端子と、
前記一対の第１接点にそれぞれ接離可能に対向する一対の第２接点を有する第２の端子と、
前記第１の端子の、前記一対の第１接点とは反対側であって前記一対の第１接点の間に、前記第１の端子に対し非接触に配置される第１磁石とを備え、
前記第１磁石は、前記一対の第１接点と前記一対の第２接点とが対向する方向へ磁化されている、電磁継電器。
【請求項２】
前記第１の端子は、前記一対の第１接点を支持する先端部と、該先端部から延長される第１の延長部とを有し、
前記第２の端子は、前記一対の第２接点を支持する先端部と、該先端部から延長される第２の延長部とを有し、
前記第１の延長部と前記第２の延長部とは互いに逆方向へ延長される、請求項１に記載の電磁継電器。
【請求項３】
前記第１の端子は、前記一対の第１接点を支持する先端部と、該先端部から延長される第１の延長部とを有し、
前記第２の端子は、前記一対の第２接点を支持する先端部と、該先端部から延長される第２の延長部とを有し、
前記第１磁石は、前記第１の延長部と前記第２の延長部との延長方向に沿った寸法が他の方向の寸法よりも大きい、請求項１又は２に記載の電磁継電器。
【請求項４】
前記第１の端子は、前記一対の第１接点を支持する先端部と、前記第１接点と前記先端部への取付部とを各々に有する一対の接点部材とを備え、
前記第１磁石は、前記一対の接点部材の前記取付部の間の空間に受容される寸法を有する、請求項１から３のいずれか一項に記載の電磁継電器。
【請求項５】
前記第２の端子の、前記一対の第２接点とは反対側であって前記一対の第２接点の間に、前記第２の端子に対し接触して配置される第２磁石を備え、
前記第２磁石は、前記一対の第１接点と前記一対の第２接点とが対向する方向へ、前記第１磁石の極性とは逆向きの極性を持つように磁化されている、請求項１から４のいずれか一項に記載の電磁継電器。
【請求項６】
前記第１磁石に取り付けられて磁路を形成するヨークを備える、請求項１から５のいずれか一項に記載の電磁継電器。
【請求項７】
前記第１の端子、前記第２の端子及び前記第１磁石を支持する筐体を備え、
前記筐体は、前記一対の第１接点の間に隙間を有して前記第１磁石を保持する保持壁を備える、請求項１から６のいずれか一項に記載の電磁継電器。
【発明の詳細な説明】
【技術分野】
【０００１】
本発明は、電磁継電器に関する。
【背景技術】
【０００２】
電磁石により接点を開閉する電磁継電器は、電磁石と、接極子と、可動接点を有する可動端子と、固定接点を有する固定端子とを備え、電磁石の励磁により接極子を動かして可動端子を押圧することで、可動接点と固定接点とを互いに接触させる。
【０００３】
特許文献１には、一対の可動接点を有する１つの可動接触片とそれぞれが１つの固定接点を有する２つの固定接触片とを備えた開閉部を有する電磁継電器が開示されている。この電磁継電器は、開閉部で発生するアークを消弧させるための一対の永久磁石と、永久磁石を磁気的に接続する磁性材料の接続部材とを有するアーク消弧部材を備える。
【０００４】
特許文献２には、１つの可動接点を有する可動端子と１つの固定接点を有する固定端子により構成される第１及び第２の開閉部を有し各開閉部が別個の回路を構成するリレーが開示されている。第１の開閉部には第１の永久磁石が、第２の開閉部には第２の永久磁石が設けられ、それぞれの永久磁石が対応する開閉部にて発生するアークを消弧する。
【先行技術文献】
【特許文献】
【０００５】
【特許文献１】特許第５０８５７５４号公報
【特許文献２】特許第５２０２０７２号公報
【発明の概要】
【発明が解決しようとする課題】
【０００６】
複数の可動接点及び複数の固定接点からなる接点構造を有する電磁継電器においては、アーク消弧のための構造が複雑となり、電磁継電器が大型化し、且つ、組立ての難易度が高くなる場合があった。
【課題を解決するための手段】
【０００７】
本発明の一態様は、一対の第１接点を有する第１の端子と、一対の第１接点にそれぞれ接離可能に対向する一対の第２接点を有する第２の端子と、第１の端子の、一対の第１接点とは反対側であって一対の第１接点の間に、第１の端子に対し非接触に配置される第１磁石とを備え、第１磁石は、一対の第１接点と一対の第２接点とが対向する方向へ磁化されている、電磁継電器である。
【発明の効果】
【０００８】
一態様の電磁継電器によれば、第１磁石の配置と磁化方向とにより、それぞれが第１接点と第２接点とからなる２つの接点組にそれぞれ発生するアークを、第１接点（又は第２接点）の並設方向とは異なる方向に引き伸ばして消弧できる。結果として、電磁継電器は、第１接点（又は第２接点）の並設方向の寸法を小さくしつつ、２つの接点組にそれぞれ発生するアークを消弧できる。また簡易な構造によりアークを消弧できるため、組立てが容易となる。
【図面の簡単な説明】
【０００９】
【図１】一実施形態による電磁継電器の分解斜視図である。
【図２】図１の電磁継電器の内部構造を示す上面図である。
【図３】アマチュアの動作を説明する図である。
【図４】図１の電磁継電器の筐体における構成部品の配置関係を示す図である。
【図５】図４の矢印Ｖ方向からみた第１磁石の配置を示す図である。
【図６】図５の側面図である。
【図７】変形例による第１磁石及びヨークの配置を示す図である。
【図８】変形例による第１磁石及び第２磁石の配置を示す図である。
【図９】変形例による取付部材と他の構成部品とを示す分解斜視図である。
【図１０】図９の取付部材の固定方法を説明する図である。
【図１１】変形例によるヨークと他の構成部品とを示す分解斜視図である。
【図１２】変形例による筐体における構成部品の配置関係を示す図である。
【図１３】変形例による第１磁石の固定方法を説明する図１２の部分拡大図である。
【発明を実施するための形態】
【００１０】
以下、添付図面を参照して、本開示の実施の形態を説明する。図１は電磁継電器２の分解斜視図である。電磁継電器２は、種々の構成部品が組み込まれる筐体４と、筐体４に取り付けられるカバー６とを有する。筐体４及びカバー６は、例えば樹脂により形成される。図２はカバー６を取り外した状態の電磁継電器２の上面図である。
【００１１】
筐体４に組み込まれる構成部品は、電磁石８と、アクチュエータ１０と、一対の板状のアマチュア１２、１４と、永久磁石１６と、カード１８と、第１の端子２０と、導電性の基部２１と、第２の端子２２とを含む。電磁石８は、コイル組立２４と、鉄心２６と、ヨーク２８とを含む。
【００１２】
コイル組立２４は、４つのコイル端子３０ａ、３０ｂ、３０ｃ、３０ｄと、２つの巻線を有するコイル３２と、コイル３２が巻回されるボビン３４とを含む。コイル３２の一方の巻線にはコイル端子３０ａ、３０ｃが接続され、他方の巻線にはコイル端子３０ｂ、３０ｄが接続される。ボビン３４は、例えば樹脂により形成される。
【００１３】
鉄心２６は、軸２６ａを有する。軸２６ａは、ボビン３４の空洞３４ａ及びヨーク２８の孔２８ａに挿入され、コイル３２の中心に位置するように配置される。
【００１４】
アクチュエータ１０は、軸１０ａを有する。アクチュエータ１０は、軸１０ａが筐体４の孔４ａ（図４）に挿入されることで、筐体４に軸１０ａを中心として回動可能に取り付けられる。アクチュエータ１０は、例えば樹脂により形成される。
【００１５】
アマチュア１２、１４とカード１８とは、アクチュエータ１０に取り付けられる。アマチュア１２、１４は、例えば鉄等の磁性材料により形成される。
【００１６】
永久磁石１６は、アマチュア１２、１４の間に挟み込まれて配置される。結果として、永久磁石１６とアマチュア１２、１４とが磁路を形成し、アマチュア１２、１４の間には定常的に磁束が発生する。
【００１７】
第１の端子２０は、一対の第１接点５０、５２を有する。より詳しくは、第１の端子２０は、先端部６２と、先端部６２に取り付けられる一対の接点部材４２、４４とを備える。接点部材４２は、第１接点５０と先端部６２への取付部５４とを有する。接点部材４４は、第１接点５２と先端部６２への取付部５６とを有する。
【００１８】
また第１の端子２０は、先端部６２から延長される第１の延長部１０３と、第１の延長部１０３を挟んで先端部６２の反対側に位置する基端部６３とを有する。この実施形態では、先端部６２、第１の延長部１０３及び基端部６３は、導電性及びばね性を有する板の構成部分である。
【００１９】
先端部６２には一対の孔６４、６６が形成される。個々の接点部材４２、４４の取付部５４、５６を対応の孔６４、６６にそれぞれ挿入してかしめることで、先端部６２に第１接点５０、５２が固定される。一対の第１接点５０、５２は導電性を有する板を介して電気的に接続される。
【００２０】
第１の端子２０は、一対の接続部材４６、４８により基部２１に接続される。基部２１は、電磁継電器２の外部に露出する先端部７２と、先端部７２から延長される延長部１０７と、延長部１０７を挟んで先端部７２の反対側に位置する基端部７４とを有する。
【００２１】
第１の端子２０の基端部６３には一対の孔６８、７０が形成され、基部２１の基端部７４には一対の孔７６，７８が形成される。孔６８と孔７６とを重ね合わせ、且つ孔７０と孔７８とを重ね合わせた状態で、接続部材４６の取付部５８を対応の孔６８、７６に挿入し、接続部材４８の取付部６０を対応の孔７０、７８に挿入して、それぞれかしめることにより、第１の端子２０が基部２１に固定される。
【００２２】
基部２１は、ばね性を有する板を含む第１の端子２０を支持することで、可動端子２３を構成する。第１の端子２０と基部２１とは例えば金属板により形成される。
【００２３】
第２の端子２２は、一対の第２接点８６、８８を有する。より詳しくは、第２の端子２２は、先端部９４と、先端部９４に取り付けられる一対の接点部材８２、８４とを備える。接点部材８２は、第２接点８６と先端部９４への取付部９０とを有する。接点部材８４は、第２接点８８と先端部９４への取付部９２とを有する。
【００２４】
また第２の端子２２は、先端部９４から延長される第２の延長部１０５と、第２の延長部１０５を挟んで先端部９４の反対側に位置する基端部９６とを有する。この実施形態では、先端部９４、第２の延長部１０５及び基端部９６は、導電性を有する板の構成部分である。
【００２５】
先端部９４には一対の孔９８、１００が形成される。個々の接点部材８２、８４の取付部９０、９２を対応の孔９８、１００にそれぞれ挿入してかしめることで、先端部９４に第２接点８６、８８が固定される。一対の第２接点８６、８８は導電性を有する板を介して電気的に接続される。
【００２６】
第２接点８６及び第１接点５０と、第２接点８８及び第１接点５２とは、それぞれ接離可能に互いに対向する。また上記したように、一対の第１接点５０、５２は互いに電気的に接続され、一対の第２接点８６、８８は互いに電気的に接続されている。したがって、本実施形態に係る接点構造は、互いに電気的に接続される第１接点５０、５２と、互いに電気的に接続される第２接点８６、８８とにより開閉動作を行うツイン接点構造である。第２接点８６及び第１接点５０の接点組と第２接点８８及び第１接点５２の接点組とは、電磁継電器２の閉動作時に電気的に並列接続される。
【００２７】
図２及び図３を参照して、電磁継電器２の開閉動作を説明する。図３は、アクチュエータ１０に取り付けられた状態における、アマチュア１２、１４と、永久磁石１６と、鉄心２６と、ヨーク２８との配置関係を示す。本実施形態では、第１の端子２０が可動側の端子であり、第２の端子２２が固定側の端子である。
【００２８】
図３（ａ）は、第１接点５０、５２と第２接点８６、８８とが離れた状態における配置関係を示す。図３（ｂ）は、第１接点５０、５２と第２接点８６、８８とが接触した状態における配置関係を示す。
【００２９】
図３（ａ）では、アマチュア１２、１４がそれぞれ鉄心２６とヨーク２８とに吸着している。図３（ｂ）では、アマチュア１４がヨーク２８から離れて、アマチュア１２がヨーク２８に吸着している。電磁石８を励磁しない状態では、永久磁石１６の磁力により、図３（ａ）（ｂ）のいずれか一方の配置関係が維持される。以下の説明では、図３（ａ）の配置を電磁石８の励磁前の状態として説明する。
【００３０】
電磁継電器２は、例えばコイル端子３０ａ、３０ｃ間への電圧印加により電磁石８を励磁し、図３の矢印Ａ方向に永久磁石１６による磁力よりも大きな磁力を発生させることで、アマチュア１２、１４及び永久磁石１６を図３（ａ）の位置から図３（ｂ）の位置へ遷移させる。この遷移に伴い、アクチュエータ１０は図２の矢印１０１の方向に回動し、アクチュエータ１０と連動するカード１８が第１の端子２０を押圧して図２で上方向に動かし、第１接点５０、５２と第２接点８６、８８とを接触させる。
【００３１】
続いて、例えばコイル端子３０ｂ、３０ｄ間への電圧印加により電磁石８を励磁し、図３の矢印Ｂ方向に永久磁石１６による磁力よりも大きな磁力を発生させることで、アマチュア１２、１４及び永久磁石１６を図３（ｂ）の位置から図３（ａ）の位置へ遷移させる。この遷移に伴い、アクチュエータ１０は図２の矢印１０１と反対向きの方向に回動し、カード１８による第１の端子２０への押圧力が解除されて、第１接点５０、５２と第２接点８６、８８とは離れる。
【００３２】
上記の構成及び原理により、電磁継電器２は、第１接点５０、５２と第２接点８６、８８とを開閉する。本実施形態は一例であり、開閉動作は任意の構成及び原理を採用し得る。例えばコイル端子３０ａ、３０ｃ間、及び、コイル端子３０ｂ、３０ｄ間の電圧印加の方向を反対向きにして開閉動作をしても良い。また、第１の端子２０を固定側の端子、第２の端子２２を可動側の端子として構成しても良い。
【００３３】
以下、図４から図６を参照して、第１磁石１０２の詳細を説明する。図４、図５、及び図６は、第１の端子２０と、基部２１と、第２の端子２２と、第１磁石１０２との配置関係を示す。図４に示すように、第１磁石１０２は例えば直方体状に形成される。第１磁石１０２は例えばフェライト、サマリウムコバルト、ネオジウム等により形成される。
【００３４】
電磁継電器２の開閉動作の際に第１の端子２０と第２の端子２２との間に電位差が生じることで、第１接点５０と第２接点８６との間や第１接点５２と第２接点８８との間にアークが発生することがある。第１磁石１０２は、アークを消弧するために電磁継電器２に備えられる。
【００３５】
第１磁石１０２は、第１の端子２０の、第１接点５０、５２とは反対側であって第１接点５０、５２の間に相当する位置に、第１の端子２０に対し非接触に配置される。例えば第１磁石１０２は、基部２１の面２１ａ上に配置される。例えば第１磁石１０２は、第１接点５０、５２から等距離の位置に配置される。
【００３６】
第１磁石１０２は、第１接点５０、５２と第２接点８６、８８とが対向する方向（図５で上下方向）に磁化されている。図５に示すように、例えば第１磁石１０２は、第１接点５０、５２に近い面１０２ａ側がＮ極、第１接点５０、５２に遠い面１０２ｂ側がＳ極となる極性を持つように磁化され、磁束１０４、１０６を形成する。
【００３７】
電流が第１の端子２０から第１接点５０、５２及び第２接点８６、８８を通って第２の端子２２に図５で矢印１０８の方向に流れる場合を例として、第１磁石１０２がアークを消弧する原理を説明する。
【００３８】
第１接点５２と第２接点８８との間において、磁束１０４は図５で左方向に作用する。そのため、フレミングの左手の法則に基づき、第１接点５２と第２接点８８との間に発生するアークには図５正面視奥側から手前側に向かってローレンツ力が作用する。結果として、アークは図６で矢印Ｃ方向に引き伸ばされて消弧される。
【００３９】
第１接点５０と第２接点８６との間において、磁束１０６は図５で右方向に作用する。そのため、フレミングの左手の法則に基づき、第１接点５０と第２接点８６との間に発生するアークには図５正面視手前側から奥側に向かってローレンツ力が作用する。結果として、アークは図６で矢印Ｄ方向に引き伸ばされて消弧される。
【００４０】
電流が図５で矢印１０８と反対向きの方向に流れる場合は、フレミングの左手の法則に基づき、磁束１０４、１０６によるローレンツ力の方向がそれぞれ上記と反対向きとなる。そのため、第１接点５２と第２接点８８との間に発生するアークは矢印Ｄ方向、第１接点５０と第２接点８６との間に発生するアークは矢印Ｃ方向にそれぞれ引き伸ばされて消弧される。
【００４１】
したがって、上記の構成により、第１接点５０、５２又は第２接点８６、８８の並設方向に第１磁石１０２を配置することなく、第１接点５０と第２接点８６との間、及び、第１接点５２と第２接点８８との間のそれぞれに発生するアークを消弧することができる。また、アークは第１接点５０、５２又は第２接点８６、８８の並設方向には引き伸ばされない。結果として、電磁継電器２は、アーク消弧能力を確保しつつ、第１接点５０、５２又は第２接点８６、８８の並設方向に寸法を小さくすることができ、且つ、簡易な構造によりアークを消弧できるため、組立てが容易となる。
【００４２】
なお、第１磁石１０２は、面１０２ａ側がＳ極、面１０２ｂ側がＮ極となる極性を持つように磁化されても良い。
【００４３】
図４及び図６に示すように、第１の延長部１０３と第２の延長部１０５とは互いに逆方向に延長される。アークが引き伸ばされるＣ方向又はＤ方向に導電性の第１の延長部１０３又は第２の延長部１０５が配置されることで、アークの端が第１接点５０、５２又は第２接点８６、８８に留まることなく第１の延長部１０３又は第２の延長部１０５上を移動するようにアークが引き伸ばされるため、確実にアークを消弧することができる。
【００４４】
第１磁石１０２は、第１の延長部１０３と第２の延長部１０５との延長方向に沿う幅１１０が、他の方向の寸法よりも大きい。例えば幅１１０は、第１接点５０及び５２又は第２接点８６及び８８が並設する方向の幅１１２よりも長い。第１磁石１０２は、アークが引き伸ばされる方向に長い形状を有することで、アークが引き伸びていく空間へ高密度の磁束を発生させ、確実にアークを消弧することができる。
【００４５】
また、図５に示すように、第１磁石１０２の幅１１２は、取付部５４、５６の間の空間１１４に受容される寸法である。例えば幅１１２は、取付部５４、５６により画定される空間１１４の幅１１６よりも短い。第１の端子２０は、電磁継電器２の開閉動作に伴って図５で上下方向に移動可能である。したがって、第１の端子２０の可動範囲を考慮し、第１の端子２０と接触しないように配置する必要がある。
【００４６】
第１磁石１０２の幅１１２を上記寸法とすることで、第１の端子２０が図５で下方に変位しても、取付部５４、５６と接触することなく第１の端子２０に近づけて配置することができる。結果として、第１磁石１０２は、第１接点５０と第２接点８６との間、及び、第１接点５２と第２接点８８との間の磁束密度が高くなるように配置され、確実にアークを消弧することができる。
【００４７】
図７は、ヨーク１１８を有する図５の変形例を示す。図７において、第１の端子２０、第２の端子２２、及び第１磁石１０２の配置関係、形状、及び大きさと、第１磁石１０２の極性とは図５と同様である。ヨーク１１８は、底部１２０と、底部１２０からそれぞれ屈曲し、第１の端子２０に向かって延長される壁部１２２、１２３とを有する。ヨーク１１８は、例えば鉄等の磁性材料により形成される。
【００４８】
例えば、ヨーク１１８の面１２０ａには、エポキシ樹脂等の接着剤により第１磁石１０２が接着されて磁路を形成する。磁束１２４が壁部１２２と底部１２０とを通り、且つ、磁束１２６が壁部１２３と底部１２０とを通ることで、磁束１２４と磁束１２６とを拡散させることなく、第１接点５０と第２接点８６との間、及び、第１接点５２と第２接点８８との間に集中させることができる。したがって、ヨーク１１８により、第１接点５０と第２接点８６との間、及び、第１接点５２と第２接点８８との間の磁束密度が高まり、アーク消弧能力を更に高めることができる。
【００４９】
図８は、第２磁石１２８を有する図５の変形例を示す。図８において、第１の端子２０、第２の端子２２、及び第１磁石１０２の配置関係、形状、及び大きさと、第１磁石１０２の極性とは図５と同様である。第２磁石１２８は、例えば第１磁石１０２と同一の形状及び大きさを有する。第２磁石１２８は例えばフェライト、サマリウムコバルト、ネオジウム等により形成される。
【００５０】
第２磁石１２８は、第２の端子２２の、第２接点８６、８８とは反対側であって第２接点８６、８８の間の位置に、第２の端子２２に接触して配置される。例えば第２磁石１２８は、第２の端子２２の面２２ａ上であって、取付部９０、９２の間に配置される。例えば第２磁石１２８は第２接点８６、８８から等距離の位置に配置される。
【００５１】
第２磁石１２８は、第１接点５０、５２と第２接点８６、８８とが対向する方向であって、第１磁石１０２の極性とは逆向きの極性を持つように磁化されている。図８に示すように、例えば第２磁石１２８は、第２接点８６、８８に近い面１２８ａ側がＮ極、第２接点８６、８８に遠い面１２８ｂ側がＳ極となる極性を持つように磁化され、磁束１３０、１３２を形成する。
【００５２】
電流が第１の端子２０から第１接点５０、５２及び第２接点８６、８８を通って第２の端子２２に図８で矢印１０８の方向に流れる場合を例として、第１磁石１０２及び第２磁石１２８がアークを消弧する原理を説明する。なお、第１磁石１０２については、アークに対して上記と同様に作用するため説明を省略する。
【００５３】
上記磁化方向の場合には、第１接点５２と第２接点８８との間において、磁束１３０は磁束１０４と同一の方向となるため、フレミングの左手の法則に基づき、第１接点５２と第２接点８８との間に発生するアークには図８正面視奥側から手前側に向かってローレンツ力が作用する。結果として、アークには、磁束１０４によるローレンツ力と、磁束１３０によるローレンツ力との合力が作用する。
【００５４】
また第１接点５０と第２接点８６との間において、磁束１３２は磁束１０６と同一の方向となるため、フレミングの左手の法則に基づき、第１接点５０と第２接点８６との間に発生するアークには図８正面視手前側から奥側に向かってローレンツ力が作用する。結果として、アークには、磁束１０６によるローレンツ力と、磁束１３２によるローレンツ力との合力が作用する。
【００５５】
したがって、第１磁石１０２に加えて第２磁石１２８を配置することで、第１接点５０と第２接点８６との間、及び、第１接点５２と第２接点８８との間に発生するアークに対してより大きな力を作用させることができるため、アーク消弧能力を更に高めることができる。
【００５６】
なお、第１磁石１０２及び第２磁石１２８は、それぞれ図８に示す極性と逆向きとなる極性を持つように磁化されても良い。また第２磁石１２８は、第２の端子２２に対し非接触に配置されても良い。さらに、電磁継電器２は、第１磁石１０２を有さずに、第２磁石１２８を配置してアークを消弧するように構成しても良い。
【００５７】
図９は取付部材１３４を有する変形例における、構成部品の配置関係を示す分解斜視図である。図９において、第１の端子２０と、基部２１と、第２の端子２２と、第１磁石１０２との配置関係は図４から図６と同様である。
【００５８】
取付部材１３４は基部２１へ第１磁石１０２を取り付けるための部材であり、例えば樹脂により形成される。取付部材１３４は、例えば箱形に形成され、図９で下方に開口する収容部１３６に第１磁石１０２を収容する。
【００５９】
取付部材１３４は、外面１３４ａと外面１３４ａの反対側の外面１３４ｂとから、それぞれ収容部１３６からみて外方に延長される延長板１３８、１４０を有する。延長板１３８、１４０にはそれぞれ図９で下方に延長される円柱状の突起１４２、１４４が形成される。基部２１には一対の穴１４６、１４８が形成される。突起１４２、１４４を対応の穴１４６、１４８にそれぞれ挿入してかしめることで、取付部材１３４は基部２１に固定される。
【００６０】
図１０は、図９において、取付部材１３４の固定方法を説明する図である。図１０（ａ）は取付部材１３４の固定前の状態を示し、図１０（ｂ）は取付部材１３４の固定後の状態を示す。
【００６１】
図１０（ａ）に示すように、突起１４２、１４４を対応の穴１４６、１４８に挿入した状態で、突起１４２の先端１４２ａと突起１４４の先端１４４ａとは、基部２１の面２１ｂ側に突出する。図１０（ｂ）に示すように、突出した先端１４２ａと先端１４４ａとを例えば熱を加えて塑性変形させることで、取付部材１３４は基部２１に固定される。本実施形態は一例であり、取付部材１３４は任意の形状及び固定方法が採用され得る。
【００６２】
図１１は、取付部材１３４に加えて、ヨーク１５０を有する変形例における、構成部品の配置関係を示す分解斜視図である。図１１において、ヨーク１５０を除く構成部品の配置関係は図９と同様である。ヨーク１５０は例えば鉄等の磁性材料により形成され、図７のヨーク１１８と同一の外形形状及び大きさを有する。ヨーク１５０は、取付部材１３４と基部２１との間に配置され、且つ、第１磁石１０２に取り付けられて磁路を形成する。
【００６３】
図１１に示すように、ヨーク１５０は突起１４２、１４４がそれぞれ貫通する貫通穴１５２、１５４を有する。突起１４２は、貫通穴１５２を貫通すると共に穴１４６に挿入されてかしめられる。突起１４４は、貫通穴１５４を貫通すると共に穴１４８に挿入されてかしめられる。突起１４２、１４４をかしめることで、取付部材１３４はヨーク１５０を基部２１に固定する。
【００６４】
図１２及び図１３を参照して、第１磁石１０２の固定方法に係る、他の変形例を説明する。図１２は、変形例における構成部品の配置関係を示す。図１３は図１２の部分拡大図であり、図１３（ａ）は第１磁石１０２の固定前の状態、図１３（ｂ）は第１磁石１０２の固定後の状態をそれぞれ示す。
【００６５】
筐体４は、第１磁石１０２を保持するための保持壁１５６を有する。保持壁１５６は、基部２１と共に空間１５８を形成する。第１磁石１０２は、空間１５８に配置され、且つ保持壁１５６に保持されることで固定される。
【００６６】
保持壁１５６は、第１接点５０、５２の間に相当する位置に隙間１６０を有する。第１磁石１０２の面１０２ａは、隙間１６０から部分的に露出して第１の端子２０と対向する。保持壁１５６が隙間１６０を有することで、保持壁１５６の厚みを考慮することなく、第１磁石１０２を第１の端子２０に近づけて配置することができる。結果として、第１接点５０と第２接点８６との間、及び、第１接点５２と第２接点８８との間に高密度の磁束を発生させてアーク消弧能力を確保すると共に、固定構造を筐体４と一体的に形成することで、部品点数を増やすことなく第１磁石１０２を固定することができる。
【００６７】
保持壁１５６は、第１磁石１０２を保持する任意の形状が採用され得る。例えば保持壁１５６は、第１磁石１０２を保持して、且つ、取付部材１３４により基部２１に取り付けられるように構成されていても良い。
【００６８】
上記の実施の形態は、適宜組み合わせることができる。また、それぞれの図において、同一または相当する部分には同一の符号を付している。なお、上記の実施の形態は例示であり発明を限定するものではない。
【符号の説明】
【００６９】
２    電磁継電器
４    筐体
２０    第１の端子
２１    基部
２２    第２の端子
２３    可動端子
４２、４４    接点部材
５０、５２    第１接点
５４、５６    取付部
６２、９４    先端部
８６、８８    第２接点
１０２    第１磁石
１０３    第１の延長部
１０５    第２の延長部
１１８    ヨーク
１２８    第２磁石
１３４    取付部材
１４２、１４４    突起
１４６、１４８    穴
１５０    ヨーク
１５２、１５４    貫通穴
１５６    保持壁
【図１】
2020155259.tif 000003
【図２】
2020155259.tif 000004
【図３】
2020155259.tif 000005
【図４】
2020155259.tif 000006
【図５】
2020155259.tif 000007
【図６】
2020155259.tif 000008
【図７】
2020155259.tif 000009
【図８】
2020155259.tif 000010
【図９】
2020155259.tif 000011
【図１０】
2020155259.tif 000012
【図１１】
2020155259.tif 000013
【図１２】
2020155259.tif 000014
【図１３】
2020155259.tif 000015